(57)【要約】【課題】  多くの人により印象的な広告を提供する。【解決手段】  広告データを無線で送信する広告管理サーバ１０と、移動体に設けられ、移動体の外側から見えるように広告動画を表示する１つ又はそれ以上の広告表示器３１と、広告管理サーバ１０から受信した広告データに基づき広告表示器３１に広告動画を表示させる表示制御装置３２と、移動体が移動する道路の周辺を含む所定のエリアにおける人の分布を少なくとも検出し、表示制御装置３２に送信する１つ又はそれ以上の人検出部４０と、から構成される移動体による広告表示システムにおいて、表示制御装置３２は、受信した人の分布情報に基づいて、広告表示器３１に表示する広告動画の数、大きさ、開始タイミング、及び広告動画に含まれる特定シーンの表示タイミングの少なくとも１つを調整する。 【選択図】  図１
2020148861.tif 000002
【特許請求の範囲】
【請求項１】
広告データを無線で送信する広告管理サーバ（１０）と、移動体（２０）に設けられ、前記移動体の外側から見えるように広告動画を表示する１つ又はそれ以上の広告表示器（３１）と、前記広告管理サーバ（１０）から受信した前記広告データに基づき前記広告表示器（３１）に前記広告動画を表示させる表示制御装置（３２）と、前記移動体（２０）が移動する道路の周辺を含む所定のエリアにおける人の分布を少なくとも検出し、前記表示制御装置（３２）に送信する１つ又はそれ以上の人検出部（４０）と、から構成される移動体による広告表示システムにおいて、
前記表示制御装置（３２）は、受信した前記人の分布情報に基づいて、前記広告表示器（３１）に表示する前記広告動画の数、大きさ、開始タイミング、及び前記広告動画に含まれる特定シーンの表示タイミングの少なくとも１つを調整する、
移動体による広告表示システム。
【請求項２】
前記人の分布情報は、前記エリアにおける人の密集度が高い密集エリアの位置を示す情報を含み、
前記表示制御装置（３２）は、少なくとも前記密集エリアの位置に基づいて、前記広告表示器（３１）に表示する前記広告動画の数、大きさ、開始タイミング、及び前記広告動画に含まれる特定シーンの表示タイミングの少なくとも１つを調整する、
請求項１に記載の移動体による広告表示システム。
【請求項３】
前記人の分布情報は、前記エリアにおける人の密集度が高い密集エリアの位置を示す情報を含み、
前記表示制御装置（３２）は、前記移動体が前記密集エリアの位置の近傍を移動するタイミングで前記広告動画に含まれる特定シーンの表示を開始する、
請求項１に記載の移動体による広告表示システム。
【請求項４】
前記人の分布情報は、前記エリアにおける人の密集度が高い密集エリアの位置を示す情報を含み、
前記表示制御装置（３２）は、前記移動体が前記密集エリアの位置よりも手前を移動するタイミングで前記広告動画に含まれる特定シーンの表示を開始する、
請求項１に記載の移動体による広告表示システム。
【請求項５】
前記人の分布情報は、前記エリアにおける人の密集度が高い密集エリアの位置を示す情報を含み、
前記表示制御装置（３２）は、前記移動体が前記密集エリアの位置の近傍を移動するタイミングで前記広告動画に含まれる特定シーンが表示されるように前記広告動画の開始タイミングを調整する、
請求項１に記載の移動体による広告表示システム。
【請求項６】
前記表示制御装置（３２）は、前記移動体が前記密集エリアの位置の近傍を移動するタイミングで、前記広告動画の数、又は大きさの少なくとも一方を調整する、
請求項３乃至５のいずれかに記載の移動体による広告表示システム。
【請求項７】
前記人の分布情報は、前記エリアにおける人の密集度が高い密集エリアの位置を示す情報を含み、
第１の移動体の前記表示制御装置（３２）が、前記密集エリアの位置の近傍を移動するタイミングで前記広告動画に含まれる特定シーンを表示し、前記第１の移動体が通過した後に、第２の移動体の前記表示制御装置（３２）が、前記密集エリアの位置の近傍を移動するタイミングで前記広告動画に含まれる前記特定シーンと別のシーンを表示する、
請求項１に記載の移動体による広告表示システム。
【請求項８】
移動体（２０）に設けられ、前記移動体の外側から見えるように広告動画を表示する１つ又はそれ以上の広告表示器（３１）に広告を表示する方法において、
前記移動体（２０）が移動する道路の周辺を含む所定のエリアにおける人の分布を少なくとも検出することと、
前記人の分布情報に基づいて、前記広告表示器（３１）に表示する前記広告動画の数、大きさ、開始タイミング、及び前記広告動画に含まれる特定シーンの表示タイミングの少なくとも１つを調整することと、を含む、
方法。
【請求項９】
前記人の分布情報は、前記エリアにおける人の密集度が高い密集エリアの位置を示す情報を含み、
少なくとも前記密集エリアの位置に基づいて、前記広告表示器（３１）に表示する前記広告動画の数、大きさ、開始タイミング、及び前記広告動画に含まれる特定シーンの表示タイミングの少なくとも１つを調整すること、を含む
請求項８に記載の方法。
【請求項１０】
前記人の分布情報は、前記エリアにおける人の密集度が高い密集エリアの位置を示す情報を含み、
前記移動体が前記密集エリアの位置の近傍を移動するタイミングで前記広告動画に含まれる特定シーンの表示を開始すること、を含む、
請求項８に記載の方法。
【請求項１１】
前記人の分布情報は、前記エリアにおける人の密集度が高い密集エリアの位置を示す情報を含み、
前記移動体が前記密集エリアの位置よりも手前を移動するタイミングで前記広告動画に含まれる特定シーンの表示を開始すること、を含む、
請求項８に記載の方法。
【請求項１２】
前記人の分布情報は、前記エリアにおける人の密集度が高い密集エリアの位置を示す情報を含み、
前記移動体が前記密集エリアの位置の近傍を移動するタイミングで前記広告動画に含まれる特定シーンが表示されるように前記広告動画の開始タイミングを調整すること、を含む、
請求項８に記載の方法。
【請求項１３】
前記移動体が前記密集エリアの位置の近傍を移動するタイミングで、前記広告動画の数、又は大きさの少なくとも一方を調整すること、を含む、
請求項１０乃至１２のいずれかに記載の方法。
【請求項１４】
前記人の分布情報は、前記エリアにおける人の密集度が高い密集エリアの位置を示す情報を含み、
第１の移動体が前記密集エリアの位置の近傍を移動するタイミングで前記広告動画に含まれる特定シーンを表示し、前記第１の移動体が通過した後に、第２の移動体が前記密集エリアの位置の近傍を移動するタイミングで前記広告動画に含まれる前記特定シーンと別のシーンを表示すること、を含む、
請求項８に記載の方法。
【請求項１５】
請求項８乃至１４のいずれかに記載の方法を実行するための命令を含む、コンピュータ・プログラム。
【発明の詳細な説明】
【技術分野】
【０００１】
本開示は、車両などの移動体に、移動体の外側から見える広告動画を表示させる移動体による広告表示システム、表示制御装置、方法、コンピュータ・プログラムに関する。
【背景技術】
【０００２】
特許文献１には、車両の外側から見える表示器（車体表示部）を車両の外板の外表面上に設け、無線通信で受信した広告を表示器に表示する広告表示車両が開示されている。
【先行技術文献】
【特許文献】
【０００３】
【特許文献１】国際公開第２０１３／０５７８１１号
【発明の概要】
【発明が解決しようとする課題】
【０００４】
車両（移動体）による広告の効果を増大させるには、より多くの人がいる場所でより印象的な広告を表示することが望まれ、この点において工夫をする余地があった。
【課題を解決するための手段】
【０００５】
本明細書に開示される特定の実施形態の要約を以下に示す。これらの態様が、これらの特定の実施形態の概要を読者に提供するためだけに提示され、この開示の範囲を限定するものではないことを理解されたい。実際に、本開示は、以下に記載されない種々の態様を包含し得る。
【０００６】
本開示の概要は、広告を効果的に表示することに関する。より具体的には、多くの人により印象的な広告を提供することにも関する。
【０００７】
したがって、本明細書に記載される移動体による広告表示システムは、広告データを無線で送信する広告管理サーバ１０と、移動体に設けられ、移動体の外側から見えるように広告動画を表示する１つ又はそれ以上の広告表示器３１と、広告管理サーバ１０から受信した広告データに基づき広告表示器３１に広告動画を表示させる表示制御装置３２と、移動体が移動する道路の周辺を含む所定のエリアにおける人の分布を少なくとも検出し、表示制御装置３２に送信する１つ又はそれ以上の人検出部４０と、から構成される移動体による広告表示システムにおいて、表示制御装置３２は、受信した人の分布情報に基づいて、広告表示器３１に表示する広告動画の数、大きさ、開始タイミング、及び広告動画に含まれる特定シーンの表示タイミングの少なくとも１つを調整する。
【図面の簡単な説明】
【０００８】
【図１】いくつかの実施形態に係る、広告提供システムの概略的な構成を示す図である。
【図２】いくつかの実施形態に係る、広告表示装置のブロック図である。
【図３】いくつかの実施形態に係る、広告表示装置が広告データを取得する処理を説明するフローチャートである。
【図４】いくつかの実施形態に係る、広告データの一例を示す図である。
【図５】いくつかの実施形態に係る、広告表示装置による表示制御の処理の一例を説明するフローチャートである。
【図６】いくつかの実施形態に係る、広告重点道路エリアが設定される例を説明する図である。
【図７】いくつかの実施形態に係る、広告表示装置による表示制御の処理の一例を説明するフローチャートである。
【図８Ａ】いくつかの実施形態に係る、広告動画の表示態様の変化を示す図である。
【図８Ｂ】いくつかの実施形態に係る、広告動画の表示態様の変化を示す図である。
【発明を実施するための形態】
【０００９】
以下、図１、図２、及び図７では、例示的な広告提供システムの実施例の構成の説明を提供する。図３，４，５，及び図６は、本実施形態における広告提供システムの動作に関する説明を提供する。図８Ａ、図８Ｂは、本実施形態における広告提供システムが表示する広告動画の表示態様の変化に関する説明を提供する。なお、本発明は以下の実施形態（図面の内容も含む）によって限定されるものではない。下記の実施形態に変更（構成要素の削除も含む）を加えることができるのはもちろんである。また、以下の説明では、本発明の理解を容易にするために、公知の技術的事項の説明を適宜省略する。
【００１０】
以下、移動体の外側から見えるように広告動画を表示する、移動体による広告表示システム、表示制御装置、方法、コンピュータ・プログラムの一実施形態について説明する。
【００１１】
図１に示すように、広告表示システム１は、広告管理サーバ１０と、移動体２０と、移動体２０に設けられる広告表示装置３０と、移動体２０が移動する道路の周辺を少なくとも含む所定のエリア１００における人の分布を少なくとも検出する人検出部４０と、から構成される。
【００１２】
広告管理サーバ１０は、１つ又はそれ以上の第１プロセッサ１１と、１つ又はそれ以上の第１メモリ１２と、広域通信部１３と、で構成され、第１メモリ１２に記憶された複数の広告動画の広告データ１２１の中から１つ又はそれ以上の広告データ１２１を選択し、移動体２０に無線送信する。これら各種の構成は、それぞれ第１プロセッサ１１に電気的に接続され、当該第１プロセッサ１１によって統括的に制御される。
【００１３】
第１プロセッサ１１（後述の第２プロセッサ３４も同様。）は、少なくとも１つの汎用マイクロプロセッサ（例えば、中央処理装置（ＣＰＵ））、少なくとも１つの特定用途向け集積回路（ＡＳＩＣ）、少なくとも１つのフィールドプログラマブルゲートアレイ（ＦＰＧＡ）、又はそれらの任意の組み合わせを含むことができる。
【００１４】
第１メモリ１２（後述の第２メモリ３８も同様。）は、ハードディスクのような任意のタイプの磁気媒体、ＣＤ及びＤＶＤのような任意のタイプの光学媒体、揮発性メモリのような任意のタイプの半導体メモリ、及び不揮発性メモリを含む。揮発性メモリは、ＤＲＡＭ及びＳＲＡＭを含み、不揮発性メモリは、ＲＯＭ及びＮＶＲＯＭを含んでもよい。
【００１５】
第１プロセッサ１１は、第１メモリ１２と動作可能に連結される。より具体的には、第１プロセッサ１１は、第１メモリ１２に記憶されている不図示のプログラムを実行することで、例えば、１つ又はそれ以上の移動体２０の位置の取得、第１メモリ１２に記憶された複数の広告データ１２１の中から、移動体２０の位置に基づく適当な広告データ１２１の選択、選択した広告データ１２１の移動体２０への送信、などの処理を行うことができる。
【００１６】
広域通信部１３（後述の広域通信部５２も同様）は、無線ワイドエリアネットワーク（ＷＷＡＮ０、ＩＥＥＥ８０２．１６−２００４（ＷｉＭＡＸ：Worldwide Interoperability for Microwave Access））、ＩＥＥＥ８０２．１６ｅベース（Ｍｏｂｉｌｅ  ＷｉＭＡＸ）、４Ｇ、４Ｇ−ＬＴＥ、ＬＴＥ  Ａｄｖａｎｃｅｄ、５Ｇなどのセルラー通信規格により広域通信網（例えば、インターネット通信網）に接続可能である。
【００１７】
広告管理サーバ１０は、広域通信部１３を介して同じく広域通信網に接続される通信機器（ここでは広告表示装置３０）との間で無線通信を行う。具体的には、広告管理サーバ１０は、移動体２０（図１では複数の移動体２１，２２）に広告データ１２１を送信し、当該広告データ１２１に基づき、移動体２０に設けられた広告表示装置３０（後述の外側表示器３１）は、広告動画を表示する。
【００１８】
人検出部４０は、移動体２０が移動する道路の周辺に設けられ、所定のエリア１００を撮像する１つ又はそれ以上の不図示のカメラ（例えば、単眼カメラ及びステレオカメラの少なくとも一方）と、前記カメラの動画像（検出値の一例）を解析する不図示の解析部と、解析結果（後述の人の分布情報）を送信する不図示の路車間通信部と、有し、前記カメラの動画像を解析することで、所定のエリア１００内に存在する人の分布を検出する。人を検出する具体的方法は、例えば、Ｈａａｒ−ｌｉｋｅ特徴量、ＨＯＧ（Ｈｉｓｔｏｇｒａｍｓ  ｏｆ  Ｏｒｉｅｎｔｅｄ  Ｇｒａｄｉｅｎｔｓ）特徴量、ＬＢＰＨ（Ｌｏｃａｌ Ｂｉｎａｒｙ Ｐａｔｔｅｒｎ Ｈｉｓｔｏｇｒａｍ）特徴量を用いた識別方法、Ｆａｓｔｅｒ Ｒ−ＣＮＮなどのＤｅｅｐ Ｌｅａｒｎｉｎｇを用いた識別方法、背景差分法（撮像した動画像から、画像における差分画像を検出し、当該差分画像から人領域を検出する）など様々なアルゴリズムを用いてもよい。人検出部４０は、前記路車間通信部を介して、前記人の分布情報を移動体２０（広告表示装置３０）に送信することができる。なお、前記人の分布情報は、移動体２０（広告表示装置３０）に、１つ又はそれ以上の人検出部４０からそれぞれ送信されてもよいが、複数の人検出部４０による複数の検出データを統合してから送信されてもよい。この場合、検出データを統合し、解析する別の統合解析部（不図示）を設けてもよく、又は全てではないいくつかの人検出部４０が前記統合解析部の機能を有していてもよい。
【００１９】
また、人検出部４０は、単位面積あたり（所定の面積あたり）の検出した人の数である密集度を求めてもよい（前記人の分布情報は、所定のエリア１００内の密集度の分布を含んでもよい）。
【００２０】
また、人検出部４０は、図示しないメモリに所定の密集度閾値を記憶し、算出した密集度と、前記メモリに記憶された前記密集度閾値とを比較し、前記密集度閾値より高い１つ又はそれ以上のエリアを１つ又はそれ以上の密集エリアと判定してもよい（前記人の分布情報は、所定のエリア１００内の密集度が所定の密集度閾値より高い密集エリアの位置を含んでもよい）。
【００２１】
また、人検出部４０は、所定のエリア１００の中でも密集度が最も高い１つの密集エリアの位置を判定してもよい（前記人の分布情報は、所定のエリア１００内の密集度が最も高い１つの密集エリアの位置を含んでもよい）。
【００２２】
移動体２０は、移動体２０の外側に向けて画像（広告動画）を表示する広告表示装置３０を備えている。広告表示装置３０は、周知の自発光型表示器（例えば、有機ＥＬ表示パネル等）や透過光型表示器（例えば、バックライトを有する液晶表示パネル等）などからなる１つ又はそれ以上の外側表示器（特許請求の範囲における広告表示器）３１と、これら外側表示器３１を作動させるための表示制御装置３２（図２参照）と、を備えている。１つ又はそれ以上の外側表示器３１は、具体的には、移動体２０が車両である場合、車両の外形を形成するフード（ボンネット）、左右のサイドパネル（フェンダやドアパネル、ピラー等）、ルーフやトランクリッド（リアゲート）、或いは、必要な透明性を確保できる場合にはフロント、リア及びサイドガラスに対して貼り付けされる。
【００２３】
図２は、広告表示装置３０の構成を示すブロック図である。広告表示装置３０は、上述したように、外側表示器３１と、当該外側表示器３１を制御する表示制御装置３２と、で構成される。
【００２４】
表示制御装置３２は、１つ又はそれ以上の第２プロセッサ３４、１つ又はそれ以上の画像処理回路３６と、及び１つ又はそれ以上の第２メモリ３８を備える。図２に記載される様々な機能ブロックは、ハードウェア、ソフトウェア、又はこれら両方の組み合わせで構成されてもよい。図２は、実施態様の一実施形態に過ぎず、図示された構成要素は、より数の少ない構成要素に組み合わされてもよく、又は追加の構成要素があってもよい。例えば、画像処理回路３６（例えば、グラフィック処理ユニット）が、１つ又はそれ以上の第２プロセッサ３４に含まれてもよい。
【００２５】
図示するように、第２プロセッサ３４及び画像処理回路３６は、第２メモリ３８と動作可能に連結される。より具体的には、第２プロセッサ３４及び画像処理回路３６は、第２メモリ３８に記憶されているプログラムを実行することで、例えば画像データを生成又は／及び送信するなど、広告表示装置３０の操作を行うことができる。
【００２６】
図示するように、第２プロセッサ３４は、移動体２０の広域通信部５２、路車間通信部５４、移動体位置センサ５６、及び移動体速度センサ５８と動作可能に連結される。
【００２７】
第２プロセッサ３４は、広域通信部５２を介して同じく広域通信網に接続される通信機器（ここでは広告管理サーバ１０）との間で無線通信を行う。具体的には、第２プロセッサ３４は、広告管理サーバ１０から広告データ１２１を受信し、当該広告データ１２１に基づき、移動体２０に設けられた外側表示器３１に広告動画を表示する。
【００２８】
また、第２プロセッサ３４は、路車間通信部５４（路車間通信モジュール）を介して人検出部４０との間で無線通信を行う。路車間通信は、例えば、７６０ＭＨｚ帯の電波を用い、ＷＡＶＥ（Ｗｉｒｅｌｅｓｓ  Ａｃｃｅｓｓ  Ｉｎ  Ｖｅｈｉｃｌａｒ  Ｅｎｖｉｒｏｎｍｅｎｔ）の通信規格に従って行ってもよい。なお、路車間通信で用いる電波の周波数帯は、２．４ＧＨｚ，５．９ＧＨｚ帯等の他の周波数帯であってもよい。また、路車間通信で採用する通信規格はＷＡＶＥ以外の通信規格であってもよい。第２プロセッサ３４は、具体的には、人検出部４０から所定のエリア１００内における前記人の分布情報を受信し、当該人の分布情報に基づき、移動体２０に設けられた外側表示器３１に表示する広告動画の数、大きさ、開始タイミング、及び前記広告動画に含まれる特定シーンの表示タイミングの少なくとも１つを調整する。これについては、後述する。
【００２９】
移動体２０は、ＧＮＳＳ（全地球航法衛星システム）等からなる移動体位置センサ５６を含んでいてもよい。第２プロセッサ３４は、移動体位置センサ５６から移動体２０の位置情報を連続的、断続的、又は所定のイベント毎に取得し、広域通信部５２を介して取得した移動体２０の位置を広告管理サーバ１０に送信することができる。
【００３０】
移動体２０は、移動体２０の速度を検出する移動体速度センサ５８を含んでいてもよい。第２プロセッサ３４は、移動体速度センサ５８から移動体２０の速度情報を連続的、断続的、又は所定のイベント毎に取得し、当該速度情報と移動体２０の位置情報とに基づいて、所定の位置（例えば、人の密集度が高い密集エリア近傍の後述の広告重点道路エリア３００）に到達するまでの時間を算出してもよい。
【００３１】
以上が、本実施形態の移動体による広告表示システム１の構成である。次に、図３のフローチャートを用いて、本実施形態の表示制御装置３２が広告管理サーバ１０から広告データ１２１を取得する処理の例について説明する。
【００３２】
ステップＳ１０１において、移動体２０（移動体２０の図示しないＥＣＵ）は、移動体位置センサ５６から取得した移動体２０の現在位置情報を、広域通信部５２を介して広告管理サーバ１０に送信する。
【００３３】
ステップＵ１０１において、広告管理サーバ１０は、広域通信部１３を介して移動体２０の現在位置情報を取得し、第１メモリ１２に記憶された複数の広告データ１２１の中から現在位置情報に対応した表示エリア１３１を（図４参照）有する広告データ１２１を検索して取得（選択）し（ステップＵ１０２）、選択した広告データ１２１を、広域通信部１３を介して移動体２０に送信する（ステップＵ１０３）。
【００３４】
ステップＳ１０２において、表示制御装置３２（第２プロセッサ３４）は、移動体２０の広域通信部５２を介して広告管理サーバ１０から広告データ１２１を受信し、第２メモリ３８に記憶する。
【００３５】
図４は、広告管理サーバ１０の第１メモリ１２に記憶されている広告データ１２１の一例を示す図である。図４に示す例では、広告データ１２１は、広告動画の動画データ、広告動画を行う領域を示す表示エリア１３１、広告を行う時間帯を示す表示時刻１３３、１日当たりの表示回数１３５（Ｎは無制限）、動画データ全体の長さを示す動画時間１３７、動画データのうち広告主が重要とする特定シーンの開始時間（広告動画の始まりから特定シーンが開始されるまでの時間）Ｔｐなどを含み得る。
【００３６】
広告管理サーバ１０は、移動体２０から取得した移動体２０の現在位置情報に対応した表示エリア１３１を有する広告データ１２１を選択する。移動体２０の現在位置情報に対応した表示エリア１３１とは、具体的に例えば、現在位置情報が属する所定の表示エリア１３１、現在位置情報の近傍の所定の表示エリア１３１、現在位置情報の移動先の所定の表示エリア１３１（この場合は、移動体２０から移動方向を取得する、移動体２０から移動経路を取得する、又は広告管理サーバ１０で移動体２０の移動方向を推測する）などである。
【００３７】
図５は、本実施形態の表示制御装置３２による表示制御の処理の例を示すフローチャートである。
【００３８】
ステップＶ１１１において、人検出部４０は、移動体２０が走行する道路の周辺（歩道、路側帯）を含む所定のエリア１００における人の分布を検出し、当該人の分布情報を移動体２０に送信する。
【００３９】
ステップＳ１１１において、表示制御装置３２（第２プロセッサ３４）は、移動体２０の路車間通信部５４を介して人の分布情報を取得し、当該人の分布情報に基づいて、人の分布が多い密集エリア（図６の符号２０２）の近傍の道路を広告重点道路エリア（図６の符号３００）に設定する（ステップＳ１１２）。
【００４０】
図６は、広告重点道路エリア３００が設定される例を説明する図である。人検出部４０は、所定のエリア２００毎に人の密集度を算出し、例えば、図６のエリア２０１を密集度が低いと判定し、図６のエリア２０２を密集度が高い密集エリア２００ｖと判定し、密集エリア２００ｖの位置を含む人の分布情報を送信できる（図５のステップＶ１１１）。
【００４１】
表示制御装置３２（第２プロセッサ３４）は、ステップＳ１１２を実行することで、密集エリア２００ｖよりも広い（移動体２０が移動する道路に沿って長い）領域を広告重点道路エリア３００に設定する（道路に沿う方向における、密集エリア２００ｖの長さ２００ｄより広告重点道路エリア３００の長さ３００ｄが長くなるように設定する）。すなわち、表示制御装置３２（第２プロセッサ３４）は、移動体２０が移動する道路に沿う方向において、密集エリア２００ｖのうち移動体２０が最も早くに接近する端部２００ａよりも移動体２０の移動方向と逆方向側にずれた位置に広告重点道路エリア３００の開始点３００ａを設定し得る。また、表示制御装置３２（第２プロセッサ３４）は、移動体２０が移動する道路に沿う方向において、密集エリア２００ｖのうち移動体２０が最も遅くに接近する端部２００ｂよりも移動体２０の移動方向側にずれた位置に広告重点道路エリア３００の終了点３００ｂを設定し得る。これにより、表示制御装置３２（第２プロセッサ３４）は、密集エリア２００ｖよりも広い領域を広告重点道路エリア３００に設定できる。これにより、密集エリア２００ｖにいる人に長く広告動画を視認させることができ、広告の効果を高めることができる。
【００４２】
なお、広告重点道路エリア３００は、密集エリア２００ｖより広いことに限定されない。表示制御装置３２（第２プロセッサ３４）は、移動体２０が移動する道路に沿う方向において、密集エリア２００ｖのうち移動体２０が最も早くに接近する端部２００ａよりも移動体２０の移動方向側にずれた位置に広告重点道路エリア３００の開始点３００ａを設定し得る。すなわち、密集エリア２００ｖの近傍に広告重点道路エリア３００が設定されるので、広告重点道路エリア３００で行われる表示処理の変化に密集エリア２００ｖにいる人が気づきやすくなり、広告の効果を高めることができる。
【００４３】
再び図５を参照する。ステップＳ１１３において、表示制御装置３２（第２プロセッサ３４）は、移動体２０の移動体速度センサ５８から移動体２０の速度を取得し、かつ移動体２０の移動体位置センサ５６から移動体２０の現在位置を取得する（ステップＳ１１３）。ステップＳ１１２で設定した広告重点道路エリアの位置と、ステップＳ１１３で取得した移動体２０の速度と現在位置とから、移動体２０が広告重点道路エリア３００に到達するまでの到達時間Ｔｑを算出する（ステップＳ１１４）。なお、ステップＳ１１２〜Ｓ１１４は、人検出部４０が処理を実行し、表示制御装置３２（第２プロセッサ３４）は、処理結果である到達時間Ｔｑを人検出部４０から受信してもよい。
【００４４】
ステップＳ１１５において、表示制御装置３２（第２プロセッサ３４）は、広告重点道路エリア３００までの到達時間Ｔｑが広告動画の始まりから特定のシーンまでの時間（特定シーン開始時間Ｔｐ）より短いか（Ｔｑ＜Ｔｐ）判定し、到達時間Ｔｑが特定シーン開始時間Ｔｐより短ければ（Ｔｑ＜Ｔｐ）、広告重点道路エリア３００で特定のシーンが表示される（図６の広告重点道路エリア３００の開始点３００ａで広告動画の特定のシーンが開始される）ように、広告動画の一部を省略し、広告動画の表示開始タイミングを調整する。これにより、人が多い広告重点道路エリア３００で広告主が重要とする特定シーンを表示することができ、広告の効果を増大させることができる。また、到達時間Ｔｑが特定シーン開始時間Ｔｐより長ければ（Ｔｑ＞Ｔｐ）、広告重点道路エリア３００で広告動画の特定のシーンが表示される（図６の広告重点道路エリア３００の開始点３００ａで広告動画の特定のシーンが開始される）ように、広告動画の始まりのタイミングを遅らせてもよい。
【００４５】
図７は、本実施形態の表示制御装置による表示制御の処理の別の実施例を示すフローチャートである。
【００４６】
ステップＶ２１１において、人検出部４０は、移動体２０が走行する道路の周辺（歩道、路側帯）を含む所定のエリアにおける人の分布を検出し、当該人の分布情報を移動体２０に送信する。
【００４７】
ステップＵ２１１において、表示制御装置３２（第２プロセッサ３４）は、移動体２０の路車間通信部５４を介して人の分布情報を取得し、当該人の分布情報に基づいて、人の分布が多い密集エリア（図６の符号２０２）の近傍の道路を広告重点道路エリア（図６の符号３００）に設定する（ステップＵ２１２）。
【００４８】
ステップＵ２１３において、表示制御装置３２（第２プロセッサ３４）は、移動体２０の移動体位置センサ５６から移動体２０の現在位置を取得する。
【００４９】
なお、ステップＵ２１２は、人検出部４０が処理を実行し、表示制御装置３２（第２プロセッサ３４）は、処理結果である広告重点道路エリア３００の位置を人検出部４０から受信してもよい。
【００５０】
ステップＵ２１４において、表示制御装置３２（第２プロセッサ３４）は、ステップＵ２１３で取得した現在位置が広告重点道路エリア３００に到達したか判定し、移動体２０が広告重点道路エリア３００に到達したならば、広告重点道路エリア３００で広告動画の特定のシーンが表示されるように、広告動画の一部を省略し、広告動画の特定のシーンの始めから又は途中から表示を開始する。これにより、広告重点道路エリア３００で広告主が重要とする特定シーンを表示することができ、広告の効果を増大させることができる。
【００５１】
また、ステップＵ２１４において、表示制御装置３２（第２プロセッサ３４）は、移動体２０が広告重点道路エリア３００に到達したならば、移動体２０の１つ又はそれ以上の外側表示器３１に表示する広告動画の数を変えてもよい。具体的には、表示制御装置３２（第２プロセッサ３４）は、移動体２０が広告重点道路エリア３００に到達したならば、移動体２０の１つ又はそれ以上の外側表示器３１に表示する広告動画の数を増やしてもよい。この際、複数の広告動画は、それぞれ広告動画のすべて又は一部が異なるシーンである。これにより、広告重点道路エリア３００で広告動画の表示態様が変化し、広告に対する人の誘目性を高めることができ、広告の効果を増大させることができる。
【００５２】
また、ステップＵ２１４において、表示制御装置３２（第２プロセッサ３４）は、移動体２０が広告重点道路エリア３００に到達したならば、移動体２０の１つ又はそれ以上の外側表示器３１に表示する広告動画の大きさを変えてもよい。具体的には、表示制御装置３２（第２プロセッサ３４）は、移動体２０が広告重点道路エリア３００に到達したならば、移動体２０の１つ又はそれ以上の外側表示器３１に表示する広告動画の大きさを大きくしてもよい。これにより、広告重点道路エリア３００で広告動画の表示態様が変化し、広告に対する人の誘目性を高めることができ、広告の効果を増大させることができる。
【００５３】
また、ステップＵ２１４において、表示制御装置３２（第２プロセッサ３４）は、移動体２０が広告重点道路エリア３００に到達したならば、移動体２０の１つ又はそれ以上の外側表示器３１に表示する広告動画の数、及び大きさを変えてもよい。具体的には、表示制御装置３２（第２プロセッサ３４）は、移動体２０が広告重点道路エリア３００に到達したならば、移動体２０の１つ又はそれ以上の外側表示器３１に表示する広告動画の数を少なくしつつ、大きさを大きくしてもよい。これにより、広告重点道路エリア３００で広告動画の表示態様が変化し、広告に対する人の誘目性を高めることができ、広告の効果を増大させることができる。なお、図７に示した処理と、図５に示した処理とは、組み合わされてもよい。
【００５４】
なお、人の分布情報は、複数の人同士の距離に関する情報を含んでいてもよい。図８Ａ、図８Ｂは、複数の人同士の距離（人の分布情報の一例）Ｄｈに応じて、広告動画の数、及び大きさを変える処理を説明する図である。図８Ａの例では、表示制御装置３２（第２プロセッサ３４）は、人の分布情報に含まれる複数の人Ｈ１，Ｈ２との距離Ｄｈが、第１メモリ１２に記憶された距離閾値Ｄｔｈより大きい（複数の人同士の距離が比較的長い）場合、人Ｈ１の近くに広告動画Ｍ１を表示し、人Ｈ２の近くに広告動画Ｍ２を表示する。図８Ｂの例では、表示制御装置３２（第２プロセッサ３４）は、人の分布情報に含まれる複数の人Ｈ１，Ｈ２との距離Ｄｈが、第１メモリ１２に記憶された距離閾値Ｄｔｈより小さい（複数の人同士の距離が比較的短い）場合、人Ｈ１と人Ｈ２との間に大きな広告動画Ｍ３を表示する。すなわち、移動体２０の近傍にいる複数の人同士の距離が比較的長い場合、広告動画の数を多くする。好ましくは、複数の人それぞれの近傍に１つ又はそれ以上の広告動画を表示してもよい。また、移動体２０の近傍にいる複数の人同士の距離が比較的短い場合、広告動画の数を少なくし、大きさを大きしてもよい。
【００５５】
また、人検出部４０又は移動体２０は、移動体２０の近傍の人の視線を検出する図示しない視線検出部を有していてもよい。表示制御装置３２（第２プロセッサ３４）は、広告動画を視認している人がいるか、視認している人が所定の人数閾値以上であるか、又は視認している人の割合が高い所定の割合閾値より高いか、などを判定し、視認している人がいる（又は多い）場合、広告動画を再生し、他方、視認している人がいない（又は少ない）場合、広告画像を停止してもよい。
【００５６】
なお、いくつかの実施形態において、人検出部４０は、前記カメラの代わりに（又は前記カメラに加えて）、レーダ（例えば、レーザレーダ及びミリ波レーダの少なくとも一方）、ライダー（ＬＩＤＡＲ）、その他の既知のセンサ、又はこれらの組み合わせを用いてもよい。
【００５７】
また、いくつかの実施形態において、人検出部４０は、移動体２０が移動する道路の周辺に設けられるものではなく、移動体２０に設けられてもよい。この場合、前記所定のエリア１００は、移動体２０の移動方向の道路の周辺であり、具体的に例えば、移動体２０の前方の２０〜２００［ｍｅｔｅｒ］の領域である。
【００５８】
また、いくつかの実施形態において、第２プロセッサ３４は、移動体２０の位置情報（所定のエリア１００内の移動体２０の位置）を、移動体２０に設けられる移動体位置センサ５６の代わりに（又は移動体位置センサ５６に加えて）、移動体２０に設けられた不図示の路側機から取得してもよい。
【００５９】
また、いくつかの実施形態では、表示制御装置３２（第２プロセッサ３４）は、第１の移動体２０が密集エリア２００ｖの位置の近傍に設定された広告重点道路エリア３００を移動するタイミングで広告動画Ｍに含まれる特定シーンを表示し、第１の移動体２０が通過した後に、別の第２の移動体２０が密集エリア２００ｖの位置の近傍に設定された広告重点道路エリア３００を移動するタイミングで広告動画Ｍに含まれる前記特定シーンと別のシーンを表示するように制御してもよい。これにより密集エリア２００ｖにいる多くの人が、重複したシーンを見ることを抑制し、異なるシーンを見る機会を増やすことで、広告の効果を増大することができる。
【００６０】
また、広告データは、広告管理サーバ１０から無線送信されるのではなく、表示制御装置３２（第２プロセッサ３４）は、広告データ１２１を第２メモリ３８に記憶し、読み出してもよい。
【符号の説明】
【００６１】
１…広告表示システム、１０…広告管理サーバ、１１…第１プロセッサ、１２…第１メモリ、１３…広域通信部、２０…移動体、３０…広告表示装置、３１…外側表示器（広告表示器）、３２…表示制御装置、３４…第２プロセッサ、３６…画像処理回路、３８…第２メモリ、４０…人検出部、５２…広域通信部、５４…路車間通信部、５６…移動体位置センサ、５８…移動体速度センサ、１００…エリア、１０１…エリア、１０２…エリア、１２１…広告データ、２００…エリア、２００ａ…端部、２００ｂ…端部、２００ｖ…密集エリア、２０１…エリア、２０２…エリア、３００…広告重点道路エリア、３００ａ…開始点、３００ｂ…終了点、５００…広告エリア、Ｄｈ…距離、Ｄｔｈ…距離閾値、Ｈ１…人、Ｈ２…人、Ｍ…広告動画、Ｔｐ…特定シーン開始時間、Ｔｑ…到達時間
【図１】
2020148861.tif 000003
【図２】
2020148861.tif 000004
【図３】
2020148861.tif 000005
【図４】
2020148861.tif 000006
【図５】
2020148861.tif 000007
【図６】
2020148861.tif 000008
【図７】
2020148861.tif 000009
【図８Ａ】
2020148861.tif 000010
【図８Ｂ】
2020148861.tif 000011